(57)【要約】【課題】シート状媒体が媒体挿入部の端面に突き当たり送り出せなくなることを回避できるシート状媒体送り出し装置を提案すること。【解決手段】シート状媒体送り出し装置１００は、シート状媒体を送り出すピックアップローラー１０１と、シート状媒体をピックアップローラー１０１に押し付ける押し付け部材１０２が単一の駆動モーター１０３により駆動される。ピックアップローラー１０１の回転開始時点を、押し付け部材１０２の移動開始時点よりも遅延させる遅延機構１５０を備え、遅延機構１５０の駆動側回転部材１３３は、その回転方向に所定の遊び角度αだけ回転すると従動側回転部材１３４に係合して当該従動側回転部材１３４を同一方向に一体回転させる。シート状媒体は送り出される前に押し付け部材１０２によって押し付けられるので媒体挿入部の端面に突き当たることなく媒体送り出し口から確実に送り出される。【選択図】図６
2013082519.tif 000002
【特許請求の範囲】
【請求項１】
シート状媒体が挿入される媒体挿入部と、
前記媒体挿入部における前記シート状媒体の送り出し側の端面に位置し、当該媒体挿入部の幅よりも狭い幅の媒体送り出し口と、
前記媒体挿入部に挿入された前記シート状媒体を前記媒体送り出し口に送り出すためのピックアップローラーと、
前記ピックアップローラーに前記シート状媒体を押し付けるための押し付け部材と、
駆動モーターと、
前記駆動モーターの駆動力を前記ピックアップローラーおよび前記押し付け部材に伝達する動力伝達機構とを有しており、
前記動力伝達機構は、前記ピックアップローラーの回転開始時点を、前記押し付け部材が当該押し付け部材の待機位置から前記ピックアップローラーに向けて移動を開始する移動開始時点よりも遅延させる遅延機構を備えており、
前記遅延機構は、同一の中心軸線回りに回転する駆動側回転部材および従動側回転部材を備え、前記駆動側回転部材は、前記中心軸線回りに予め定めた角度（以下、「遊び角度」という。）だけ、予め定めた回転方向に回転すると、前記従動側回転部材に係合して当該従動側回転部材を同一回転方向に一体となって回転させることを特徴とするシート状媒体送り出し装置。
【請求項２】
請求項１において、
前記媒体挿入部は、その幅方向の両側が相互に対峙している第１側面および第２側面によって規定されており、
前記媒体送り出し口は、その幅方向の両側が相互に対峙している第３側面および第４側面によって規定されており、
前記第３側面は前記第１側面に連続して延びており、
前記第４側面は、前記媒体挿入部における前記第２側面の端から前記第１側面の方向に折れ曲がって延びている端面の先端から前記シート状媒体の送り出し方向に延びており、
前記第１側面から前記ピックアップローラーの外周面の一部が露出しており、
前記押し付け部材は、前記ピックアップローラーから前記第２側面の側に後退した前記待機位置から前記第１側面に露出している前記ピックアップローラーの前記外周面の部分に向けて移動可能であり、
前記遅延機構の前記遊び角度は、少なくとも、前記押し付け部材が前記媒体挿入部の幅方向において前記待機位置から前記第４側面の位置まで移動するために必要な前記駆動側回転部材の回転量に対応する角度であることを特徴とするシート状媒体送り出し装置。
【請求項３】
請求項１または２において、
前記従動側回転部材は前記ピックアップローラーのローラー軸であり、
前記駆動側回転部材は、前記動力伝達機構における前記駆動モーターの駆動力を前記ローラー軸に伝えるローラー駆動歯車列の最終段伝達歯車であり、
前記最終段伝達歯車は前記ローラー軸に回転可能な状態で取り付けられており、
前記ローラー軸には、その半径方向に延びる係合ピンが取り付けられており、
前記最終段伝達歯車の前記係合ピンに対峙している端面における前記回転中心軸線回りに前記遊び角度だけ離れた位置には、前記係合ピンに係合可能な第１係合面および第２係合面が形成されていることを特徴とするシート状媒体送り出し装置。
【請求項４】
請求項３において、
前記最終段伝達歯車が回転を開始して前記係合面が前記係合ピンに係合するまでの間、前記係合ピンが前記最終段伝達歯車と連れ回りしない方向に、当該係合ピンが取り付けられている前記ローラー軸に、回転負荷を付与している回転拘束部材を備えていることを特徴とするシート状媒体送り出し装置。
【請求項５】
請求項３または４において、
前記ピックアップローラーは第１ワンウエイクラッチを介してローラー軸に取り付けられており、
前記第１ワンウエイクラッチは、前記ピックアップローラーを前記シート状媒体の送り出し方向に回転させる回転力を前記ローラー軸から前記ピックアップローラーに伝達するものであり、
前記動力伝達機構は、前記ローラー駆動用の歯車列における前記最終段伝達歯車以外の伝達歯車に、第２ワンウエイクラッチを介して一体回転するように連結されている押し付け部材側伝達歯車を備えており、
前記押し付け部材側伝達歯車を介して前記押し付け部材を移動させるための回転力が当該押し付け部材に伝達されることを特徴とするシート状媒体送り出し装置。
【請求項６】
請求項１ないし５のうちのいずれかの項に記載のシート状媒体送り出し装置と、
前記シート状媒体送り出し装置から送り出されたシート状媒体を所定の搬送経路に沿って搬送する媒体搬送機構と、
前記搬送経路を搬送される前記シート状媒体に担持されている情報を読み取る情報読取部とを有していることを特徴とするシート状媒体処理装置。
【発明の詳細な説明】
【技術分野】
【０００１】
本発明は、小切手、記録用紙などのシート状媒体を送り出すためのシート状媒体送り出し装置、および、当該シート状媒体送り出し装置を備えた小切手処理装置、プリンター、スキャナー、磁気読取装置などのシート状媒体処理装置に関する。
【背景技術】
【０００２】
入金処理、出金処理を含む銀行業務においては、小切手を利用した決済方法が利用されている。小切手による決済方法では、銀行窓口で小切手に記載されている日時、署名などを確認し、必要な入金処理、出金処理等を行い、その後に処理済の小切手に裏書きを行う。また、当該小切手処理に関するレシートを顧客に発行する。さらに、小切手処理に当っては、本人確認のために、免許証やＩＤカードの提示を求め、必要に応じて、複写機でこれらのコピーを取って保管している。銀行窓口においては、このような処理を短時間で大量に行うことが必要である。
【０００３】
特許文献１には、小切手処理を一括して狭い銀行窓口などにおいて行うことができるように、ＭＩＣＲ、光学スキャナー、小切手印刷ヘッドおよびレシート印刷ヘッドを備えた複合型印刷装置が提案されている。この複合型印刷装置では、小切手などの単票紙を搬送する平面視でＵ字状に湾曲している搬送路と、レシート用の連続紙を搬送する搬送路とを直交して配置し、両者の搬送路が交わる部分に、小切手及びレシートを印刷する単一の印刷ヘッドが配置されている。
【０００４】
このような小切手等のシート状媒体を処理するシート状媒体処理装置には、積層状態のシート状媒体を一枚ずつ分離して搬送路に送り出すためのシート状媒体送り出し装置が備わっている。シート状媒体送り出し装置としては、旋回式の押し付け部材によって積層状態のシート状媒体を回転しているピックアップローラーに押し付けて、１枚ずつシート状媒体を送り出す機構を備えたものが知られている。このようなシート状媒体送り出し装置は特許文献２において提案されている。特許文献２に開示のシート状媒体送り出し装置では、積層状態でシート状媒体が挿入される媒体挿入部は、そのシート状媒体の送り出し側の端が、押し付け部材の側からピックアップローラーの側に向けて傾斜している傾斜ガイド面部分となっており、ピックアップローラーによって送り出されるシート状媒体を、ピックアップローラーの側に位置する幅の狭い媒体送り出し口に向けてガイドしている。
【先行技術文献】
【特許文献】
【０００５】
【特許文献１】特開２００４−２４３７６４号公報
【特許文献２】特開２０１０−１９５５１０号公報
【発明の概要】
【発明が解決しようとする課題】
【０００６】
ここで、ピックアップローラーの回転と押し付け部材の移動を単一の駆動モーターで行うことが装置の小型化、コスト低減化等の観点から望ましい。この場合には、駆動力が共通の駆動力伝達経路を介して双方の部材に伝達されるので、駆動モーターが回転すると、ピックアップローラーの回転と押し付け部材の移動が同時に開始されることになる。
【０００７】
この構成のシート状媒体送り出し装置では、媒体挿入部に挿入されたシート状媒体のセット状態によっては、押し付け部材によってシート状媒体の送り出し方向の先端部分が、幅の広い媒体挿入部の送り出し側の端面において幅の狭い媒体送り出し口の側に十分に押し込まれる（寄せられる）前に、シート状媒体がピックアップローラーによって送り出されてしまうことがある。この場合には、送り出されるシート状媒体の先端が媒体挿入部の端面に強く押し付けられる。
【０００８】
特許文献２のような傾斜ガイド面部分が媒体挿入部の端面に形成されていない場合等においては、シート状媒体の先端面と媒体挿入部の端面の間に発生する摩擦抵抗によって、押し付け部材によるシート状媒体の先端部分を幅の狭い媒体送り出し口の位置まで押し込むことが困難になる。この結果、シート状媒体の先端部分に折れ、曲げなどが付いてしまい、シート状媒体の送り出しができなくなることがある。
【０００９】
本発明の課題は、このような点に鑑みて、シート状媒体のセット状態の如何に拘わらず、押し付け部材によってシート状媒体を幅の狭い媒体送り出し口の側に確実に寄せた状態でピックアップローラーによってシート状媒体を媒体送り出し口に送り出すことができるシート状媒体送り出し装置を提案することにある。また、当該シート状媒体送り出し装置を備えた小切手処理装置などのシート状媒体処理装置を提案することにある。
【課題を解決するための手段】
【００１０】
上記の課題を解決するために、本発明のシート状媒体送り出し装置は、
シート状媒体が挿入される媒体挿入部と、
前記媒体挿入部における前記シート状媒体の送り出し側の端面に位置し、当該媒体挿入部の幅よりも狭い幅の媒体送り出し口と、
前記媒体挿入部に挿入された前記シート状媒体を前記媒体送り出し口に送り出すためのピックアップローラーと、
前記ピックアップローラーに前記シート状媒体を押し付けるための押し付け部材と、
駆動モーターと、
前記駆動モーターの駆動力を前記ピックアップローラーおよび前記押し付け部材に伝達する動力伝達機構とを有しており、
前記動力伝達機構は、前記ピックアップローラーの回転開始時点を、前記押し付け部材が当該押し付け部材の待機位置から前記ピックアップローラーに向けて移動を開始する移動開始時点よりも遅延させる遅延機構を備えており、
前記遅延機構は、同一の中心軸線回りに回転する駆動側回転部材と従動側回転部材とを備え、前記駆動側回転部材は、前記中心軸線回りに予め定めた角度（以下、「遊び角度」という。）だけ回転すると、前記従動側回転部材に係合して当該従動側回転部材を同一回転方向に一体となって回転させることを特徴としている。
【００１１】
本発明のシート状媒体送り出し装置では、動力伝達機構に備わっている遅延機構によって、駆動モーターが回転して押し付け部材を待機位置からピックアップローラーの方向に移動を開始させる移動開始時点よりも遅れた時点からピックアップローラーの回転が開始する。したがって、媒体挿入部に挿入されているシート状媒体は押し付け部材によってピックアップローラーの側に押し付けられた後に（寄せられた後に）、ピックアップローラーの回転が始まる。よって、遅延時間を適切に設定しておけば、ピックアップローラーによって送り出される前のシート状媒体の先端を、幅の狭い媒体送り出し口の側に寄せておくことができるので、シート状媒体の先端が媒体挿入部の端面に突き当たる事態を回避できる。よって、媒体送り出し口からシート状媒体を確実に送り出すことができる。
【００１２】
また、遅延機構として、同一の中心軸線回りに回転する駆動側回転部材と従動側回転部材の間に回転方向に所定量の遊び角を設け、遊び角分だけ駆動側回転部材が回転しないと従動側回転部材が一体となって回転しない機構を採用している。一体回転する回転部材の間に遊びを形成するという簡単な構成であるので、動力伝達機構を構成している一対の駆動側回転部材と従動側回転部材を利用して簡単に遅延機構を構成できる。よって、部品点数の増加、設置スペースの増加を最小限に抑制でき、シート状媒体送り出し装置の小型・コンパクト化およびコスト低減化を阻害することなく、シート状媒体が媒体挿入部の端面に突き当たって搬送不良などが発生するという弊害を解消できる。
【００１３】
本発明のシート状媒体送り出し装置において、
前記媒体挿入部は、その幅方向の両側が相互に対峙している第１側面および第２側面によって規定されており、
前記媒体送り出し口は、その幅方向の両側が相互に対峙している第３側面および第４側面によって規定されており、
前記第３側面は前記第１側面に連続して延びており、
前記第４側面は、前記媒体挿入部における前記第２側面の端から前記第１側面の方向に折れ曲がって延びている端面の先端から前記シート状媒体の送り出し方向に延びており、
前記ピックアップローラーは、その外周面の一部が前記第１側面から露出しており、
前記押し付け部材は、前記ピックアップローラーから前記第２側面の側に後退した前記待機位置から前記ピックアップローラーに向けて移動可能であり、
前記遅延機構の前記遊び角度は、少なくとも、前記押し付け部材が前記媒体挿入部の幅方向において前記待機位置から前記第４側面の位置まで移動するために必要な前記駆動側回転部材の回転量に対応する角度であることを特徴としている。
【００１４】
このように遊び角度を設定しておけば、媒体挿入部に挿入されるシート状媒体の枚数の多寡に拘わりなく、ピックアップローラーが回転を開始するまでの間に、シート状媒体の先が媒体挿入部の端面に当たらない位置までシート状媒体を押し込むことができる。すなわち、シート状媒体を押し付け部材によって押し込み、媒体送り出し口が形成されている第１側面の側に寄せることができるので、シート状媒体を確実に媒体送り出し口から送り出すことができる。
【００１５】
本発明のシート状媒体送り出し装置において、
前記従動側回転部材は前記ピックアップローラーのローラー軸であり、
前記駆動側回転部材は、前記動力伝達機構における前記駆動モーターの駆動力を前記ローラー軸に伝えるローラー駆動歯車列の最終段伝達歯車であり、
前記最終段伝達歯車は前記ローラー軸に回転可能な状態で取り付けられており、
前記ローラー軸には、その半径方向に延びる係合ピンが取り付けられており、
前記最終段伝達歯車の前記係合ピンに対峙している端面における前記回転中心軸線回りに前記遊び角度だけ離れた位置には、前記係合ピンに係合可能な第１係合面および第２係合面が形成されていることを特徴としている。
【００１６】
動力伝達機構を歯車列で構成した場合には、その最終段伝達歯車が一般にピックアップローラーのローラー軸の軸端に同軸状態に固定される。本発明では、最終段伝達歯車をローラー軸に対して回転可能な状態で取り付け、ローラー軸と最終段伝達歯車の間に配置した係合ピンと係合面の間に所定の遊び角度を設けている。ローラー軸に取り付けられているピックアップローラーと最終段伝達歯車とは、ローラー軸の軸線方向において所定の間隔を開けて配置されるので、この隙間を利用して係合ピンおよび第１、第２係合面を配置できる。よって、設置スペースを必要とすることなく遅延機構を組み込むことができるので、装置の小型化、低コスト化に有利である。また、最終段伝達歯車には一対の第１、第２係合面が形成されている。駆動モーターを一方向に回転駆動して最終段伝達歯車が回転し、一方の係合面、例えば第１係合面が係合ピンに係合するとローラー軸が一体回転してシート状媒体の送り出し動作を行うことができる。送り出し終了後に、押し付け部材を待機位置に戻すために、駆動モーターを逆方向に回転駆動して最終段伝達歯車が逆方向に回転すると、他方の第２係合面が係合ピンに係合してローラー軸が逆方向に一体回転する。駆動モーターを止めた後においては、第１係合面と係合ピンの間には遊び角度が形成されているので、次回の動作においてピックアップローラーの回転開始を遊び角度分だけ確実に遅延させることができる。
【００１７】
この場合、本発明のシート状媒体送り出し装置では、前記最終段伝達歯車が回転を開始して前記係合面が前記係合ピンに係合するまでの間、前記係合ピンが前記最終段伝達歯車と連れ回りしない方向に、当該係合ピンが取り付けられている前記ローラー軸に、回転負荷を付与している回転拘束部材を備えていることを特徴としている。
【００１８】
係合ピンが最終段伝達歯車と連れ回りしてしまうと、係合ピンが取り付けられているローラー軸に回転が伝わり、ピックアップローラーの回転開始時点を必要な時間だけ遅延させることができない。本発明によれば、連れ回りできないように回転拘束部材によって回転負荷を与えているので、ピックアップローラーの回転開始時点を確実に必要時間だけ遅延させることができる。
【００１９】
次に、本発明のシート状媒体送り出し装置において、
前記ピックアップローラーは第１ワンウエイクラッチを介してローラー軸に取り付けられており、
前記第１ワンウエイクラッチは、前記ピックアップローラーを前記シート状媒体の送り出し方向に回転させる回転力を前記ローラー軸から前記ピックアップローラーに伝達するものであり、
前記動力伝達機構は、前記ローラー駆動用の歯車列における前記最終段伝達歯車以外の伝達歯車に、第２ワンウエイクラッチを介して一体回転するように連結されている押し付け部材側伝達歯車を備えており、
当該押し付け部材側伝達歯車を介して前記押し付け部材を移動させるための回転力が当該押し付け部材に伝達されることを特徴としている。
【００２０】
シート状媒体送り出し装置から送り出されたシート状媒体を搬送して情報の読み取り処理等を行うシート状媒体処理装置においては、一般に、シート状媒体送り出し装置の媒体送り出し口から送り出されたシート状媒体を搬送ローラー対によって銜え込み、搬送路に沿って送り出すように構成される。シート状媒体が搬送ローラー対に引き渡された後にピックアップローラーの回転を止めた時点においては、シート状媒体の後側の部分が押し付け部材によってピックアップローラーに押し付けられたままとなっている。この結果、搬送ローラー対によって送り出されるシート状媒体に大きな送り負荷が作用し、シート状媒体の搬送を正確に行うことができなくなってしまう。第１ワンウエイクラッチを配置しておくことにより、搬送ローラー対によって搬送されるシート状媒体によってピックアップローラーが連れ回りする（ローラー軸に対して空回りする）ことが可能になり、シート状媒体に作用する送り負荷を低減できる。
【００２１】
また、押し付け部材の動力伝達経路には第２ワンウエイクラッチが介挿されているので、押し付け部材がシート状媒体を押し付けた状態となった後は、一定以上の駆動力が伝達されない。よって、過剰な力が押し付け部材の側に加わることが防止される。この結果、媒体挿入部に挿入されたシート状媒体の枚数の多寡に拘わりなく、バネ部材などの付勢力による適切な押し付け力で、シート状媒体をピックアップローラーの側に押し付けることができる。
【００２２】
一方、本発明のシート状媒体処理装置は、上記構成のシート状媒体送り出し装置と、前記シート状媒体送り出し装置から送り出されたシート状媒体を所定の搬送経路に沿って搬送する媒体搬送機構と、前記搬送経路を搬送される前記シート状媒体に担持されている情報を読み取る情報読取部とを有していることを特徴としている。シート状媒体送り出し装置によって確実にシート状媒体が送り出されて媒体搬送機構に引き渡される。よって、シート状媒体がシート状媒体送り出し装置の媒体送り出し口に詰まってシート状媒体の処理効率が低下してしまうという弊害を回避できるので、シート状媒体を効率良く処理可能なシート状媒体処理装置を実現できる。
【図面の簡単な説明】
【００２３】
【図１】本発明の小切手処理装置を示す斜視図である。
【図２】図１の小切手処理装置の上面の二つのカバーを開けた状態の斜視図である。
【図３】図１の小切手処理装置を上方から見た場合の斜視図である。
【図４】図１の小切手処理装置の内部構成図である。
【図５】図１の小切手処理装置の小切手送り出し装置の機構を示す構成図である。
【図６】図５の小切手送り出し装置の動力伝達機構を示す説明図である。
【図７】図６の動力伝達機構に組み込まれている遅延機構を示す説明図である。
【発明を実施するための形態】
【００２４】
以下に、図面を参照して、本発明のシート状媒体送り出し装置を備えたシート状媒体処理装置の実施の形態を説明する。本実施の形態に係るシート状媒体処理装置は、曲げることの容易なシート状媒体である小切手を処理する小切手処理装置である。また、小切手処理装置には、小切手処理に当っての本人確認などのために曲げることの困難な運転免許証やその他のカードの画像情報を読み取るカードスキャン機構と、小切手の処理済情報などが印刷されたレシートを発行するレシート発行機構とが備わっている。なお、本発明は、小切手以外のシート状媒体を処理するシート状媒体処理装置に対しても同様に適用できることは勿論である。また、カードスキャン機構、レシート発行機構が備わっていないシート状媒体処理装置に対しても適用可能なことは勿論である。
【００２５】
（全体構成）
図１は本実施の形態に係る小切手処理装置を前方右側の斜め上方から見た場合の斜視図である。図２は小切手処理装置を前方左側の斜め上方から見た場合の斜視図であり、上面に配置されている前後のカバーを開けた状態のものである。また、図３は小切手処理装置を上方前側から見た場合の斜視図である。
【００２６】
これらの図を参照して説明すると、小切手処理装置１の装置筐体１ａは、矩形輪郭をした一定厚さの下側筐体部２と、この上に配置されている上側筐体部３とを備えている。上側筐体部３には、処理対象の小切手Ｓ１を挿入する入口ポケット４（媒体挿入部）と、入口ポケット４から送り出される小切手Ｓ１を搬送する小切手搬送路Ｐ１と、小切手搬送路Ｐ１から送り出される小切手Ｓ１を回収する回収ポケット５が形成されている。小切手搬送路Ｐ１に沿って搬送される間に、小切手Ｓ１の磁気情報の読み取り、小切手Ｓ１の裏書き印刷、および小切手Ｓ１の両面の画像情報の読み取りがこの順序で行われる。
【００２７】
入口ポケット４から小切手搬送路Ｐ１を経由して回収ポケット５に至る小切手搬送経路は、上側筐体部３に形成した装置上下方向Ｚの上方に開口している所定幅の縦溝によって規定されている。小切手Ｓ１は、図１に示すように、その長辺縁が上下となる立てた状態で入口ポケット４に挿入され、その状態のまま小切手搬送路Ｐ１を搬送されて回収ポケット５に排出される。この小切手搬送経路は平面視で装置前方に開く略Ｕ字形状の経路である。
【００２８】
すなわち、図３から分かるように、入口ポケット４は上側筐体部３における装置幅方向Ｘの右側の前端から略一定幅で装置後方に延びており、幅方向の両側が相互に対峙している第１側面４ａおよび第２側面４ｂによって規定されている。第２側面４ｂの装置後端側の端（小切手送り出し方向の端）からは、第１側面４ａに向けて直角よりも僅かに大きな角度で折れ曲がった方向に端面４ｃが延びている。この端面４ｃの端と、これに対峙している第１側面４ａの間に狭い幅の小切手送り出し口４ｄが開いている。小切手送り出し口４ｄの幅方向の両側は、第１側面４ａから連続して装置後側に延びている第３側面４ｅと、端面４ｃの端から装置後方に向けて第３側面４ｅと略平行に延びている第４側面４ｆによって規定されている。
【００２９】
小切手送り出し口４ｄの装置後側の端からは、小切手搬送路Ｐ１の上流側搬送路Ｐ１１が装置後方に向けて直線状に延びている。上流側搬送路Ｐ１１の下流端部分は装置幅方向Ｘの内側に向けて湾曲して、小切手搬送路Ｐ１の後側搬送路Ｐ１２に繋がっている。後側搬送路Ｐ１２は装置幅方向にほぼ直線状に延びており、その下流端部分は装置前方に向けて湾曲して、小切手搬送路Ｐ１の下流側搬送路Ｐ１３に繋がっている。下流側搬送路Ｐ１３は直線状搬送路であり、装置前後方向Ｙに対して装置幅方向の内側に鋭角θで傾斜した方向、例えば１０〜２０度程度傾斜した方向に延びている。下流側搬送路Ｐ１３の下流端は小切手排出口５ａを介して回収ポケット５に繋がっている。回収ポケット５は装置前後方向Ｙに沿って装置前端まで延びている。
【００３０】
上側筐体部３は、このＵ字形状の小切手搬送経路によって、右側筐体部分６、後側筐体部分７および左側筐体部分８と、これらの内側に位置する内側筐体部分９に分かれている。内側筐体部分９の上面には、前側カバー１１、後側カバー１２、後述のレシート発行機構のレシート発行口１３および操作面１４が配置されている。また、後述のカードスキャン機構による読み取り対象のカードＣを挿入するためのカード挿入路１５が形成されている。
【００３１】
図２から分かるように、前側カバー１１は装置前端側の部位を中心として装置前方に開けることができ、後側カバー１２は装置後端側の部位を中心として装置後方に開けることができる。レシート発行口１３は、前側カバー１１の開閉側の縁と後側カバー１２の開閉側の縁との間に形成されており、装置幅方向に細長い矩形状をしている。操作面１４は、後側カバー１２の左側における装置後側部分に形成されており、一段高い位置に形成されたほぼ平坦な面であり、ここには、複数の操作スイッチ１４ａ、動作表示用の複数のＬＥＤ表示部１４ｂなどが配列されている。
【００３２】
内側筐体部分９における後側カバー１２によって覆われている部分には、ロール紙収納部１６が設けられている。後側カバー１２を開けるとロール紙収納部１６が装置上方に開口し、不図示のロール紙の交換作業などを行うことができる。内側筐体部分９の前側カバー１１によって覆われている部分には、ロール紙収納部１６に収納した不図示のロール紙から繰り出される連続紙を幅方向に切断するためのオートカッター１７が配置されている。ロール紙収納部１６に収納された不図示のロール紙から繰り出される連続紙に、レシート発行口１３の下側に配置されている不図示の印刷ヘッドによって小切手情報に対応する情報などが印刷され、印刷された部分の後端が切断されて所定長さのレシートとしてレシート発行口１３から発行される。また、オートカッター１７の装置前側にはインクカートリッジ装着部１８が配置されており、ここには小切手印刷用のインク供給源であるインクカートリッジ１９が装着されている。前側カバー１１を開けると、オートカッター１７の駆動ユニット１７ｃが露出すると共に、インクカートリッジ装着部１８が上方に開口するので、オートカッター１７の点検作業等やインクカートリッジの交換作業などを装置上方から簡単に行うことができる。
【００３３】
一方、カード挿入路１５は、図２、図３から分かるように、内側筐体部分９の上面における前側カバー１１の左側の平坦な装置上面部分２０に形成されている。装置上面部分２０は、その後側の操作面１４に比べて低い位置にある。カード挿入路１５は、この装置上面部分２０において、装置上方に開口している一定幅で一定深さの直線状の溝である。カード挿入路１５の装置後側の後端は、小切手搬送路Ｐ１の下流側搬送路Ｐ１３における装置前方に開口している下流端開口Ｐ１３ａにおける上側の部分に繋がっており、その装置前側の前端は前側カバー１１の側縁近傍に位置している。また、カード挿入路１５は、図３から分かるように、直線状搬送路である下流側搬送路Ｐ１３の装置前方への延長線に沿って延びる直線状の挿入路である。すなわち、装置前後方向Ｙに対して装置内側に鋭角θで傾斜した方向に延びている。
【００３４】
曲げることの困難なカードＣの画像情報を読み取る場合には、図３に示すように、当該カードＣをカード挿入路１５に対して装置前側から挿入して装置後方に押し込む。カード挿入路１５に押し込まれたカードＣは、カード挿入路１５から下流側搬送路Ｐ１３に送り込まれ、当該下流側搬送路Ｐ１３に配置されている後述の小切手読取用の光学式読取部４３（図４参照）によって画像情報が読み取られる。読み取り後のカードＣは当該下流側搬送路Ｐ１３から装置前側のカード挿入路１５に送り出される。
【００３５】
なお、本例の小切手処理装置１では、曲げることの困難なカードＣの磁気情報を読み取るためのカードスロット２１も形成されている。カードスロット２１は上側筐体部３の右側筐体部分６の上面部分に形成されている。この右側筐体部分６の内部には不図示の磁気読取部が配置されており、カードＣを当該カードスロット２１に沿って引き抜くことにより、カードＣに担持されている磁気情報が読み取られる。
【００３６】
（内部構成）
図４は、Ｕ字状の小切手搬送経路に沿って小切手Ｓ１を搬送するための小切手搬送機構の主要部分を示す内部構成図である。この図を参照して説明すると、小切手搬送経路の上流端には、入口ポケット４を備えた小切手送り出し装置１００（シート状媒体送り出し装置）が組み込まれている。小切手送り出し装置１００は、入口ポケット４に重なった状態で挿入された小切手Ｓ１を一枚ずつ分離して上流側搬送路Ｐ１１に送り出すものである。本例では、小切手Ｓ１は、その裏面が装置内側（内側筐体部９の側）を向くように、入口ポケット４に立てた状態で挿入される。
【００３７】
小切手送り出し装置１００の詳細は後述するが（図５〜図７参照）、その右側筐体部分６の側の第１側面４ａに、外周面の一部が露出した状態でピックアップローラー１０１が略垂直な姿勢で配置され、内側筐体部分９の側の第２側面４ｂに形成された開口部に、押し付け部材１０２が配置されている。押し付け部材１０２は入口ポケット４に挿入された小切手Ｓ１をピックアップローラー１０１の側に押圧するためのものである。
【００３８】
また、小切手送り出し装置１００では、駆動モーター１０３によって、押し付け部材１０２が第２側面４ｂの側に退避した待機位置から第１側面４ａのピックアップローラー１０１の側に旋回して、入口ポケット４内の小切手Ｓ１をピックアップローラー１０１に押し付ける。また、同一の駆動モーター１０３によって回転駆動されるピックアップローラー１０１によって小切手Ｓ１が小切手送り出し口４ｄから小切手搬送路Ｐ１の上流側搬送路Ｐ１１に送り出される。
【００３９】
小切手送り出し装置１００の小切手送り出し口４ｄから延びている小切手送り出し通路４ｇには、入口ポケット４から送り出された小切手Ｓ１を送り出す送り出しローラー１０４と、これに対峙しているリタードローラー１０５が配置されている。送り出しローラー１０４は駆動モーター１０３により駆動される。リタードローラー１０５は送り出しローラー１０４の側に付勢されていると共に、小切手送り出し方向に所定の回転負荷が作用している。したがって、これらの間に銜え込まれて送り出しローラー１０４によって送り出される小切手Ｓ１は、重なって送り出されても、リタードローラー１０５の回転負荷によって分離され、一枚ずつ上流側搬送路Ｐ１１に送り出される。
【００４０】
次に、送り出しローラー１０４から送り出された小切手Ｓ１の搬送経路上には、複数の搬送ローラー対３２〜３６が配置されている。上流側搬送路Ｐ１１には搬送ローラー対３２が配置されており、当該搬送ローラー対３２は、送り出しローラー１０４から送り出された小切手Ｓ１を銜え込み、下流側に搬送する。後側搬送路Ｐ１２には搬送ローラー対３３、３４が配置されており、下流側搬送路Ｐ１３には残りの搬送ローラー対３５、３６が配置されている。これらの搬送ローラー対３２〜３６はそれぞれ、内側筐体部分９の側に配置されている駆動ローラー３２ａ、３３ａ、３４ａ、３５ａ、３６ａと、外側の右側筐体部分６、後側筐体部分７および左側筐体部分８の側において、小切手搬送路Ｐ１を介して対向するように設けられた従動ローラー３２ｂ、３３ｂ、３４ｂ、３５ｂ、３６ｂとを備えている。駆動ローラー３２ａ、３３ａ、３４ａ、３５ａ、３６ａは、無端ベルト３７を介して、駆動モーター４０によりそれぞれが同期して回転駆動される。また、従動ローラー３２ｂ、３３ｂ、３４ｂ、３５ｂ、３６ｂは、不図示の付勢部材により、対向する駆動ローラー３２ａ〜３６ａの側に付勢されている。
【００４１】
小切手搬送路Ｐ１の上流側搬送路Ｐ１１には磁気読取部４１が配置されている。磁気読取部４１は、小切手Ｓ１に磁気インク等で書き込まれた磁気情報を読み取り可能なＭＩＣＲ等の磁気スキャナー４１ａを備え、磁気スキャナー４１ａは、その磁気読取面が上流側搬送路Ｐ１１の側を向く姿勢で右側筐体部分６に配置されている。また、磁気スキャナー４１ａの磁気読取面には、上流側搬送路Ｐ１１を挟み、押し付けローラー４１ｂが対向配置されている。押し付けローラー４１ｂによって、搬送される小切手Ｓ１が磁気スキャナー４１ａの磁気読取面に押し付けられて、磁気スキャナー４１ａによって確実に磁気情報が読み取られる。
【００４２】
上流側搬送路Ｐ１１の下流端に連続して装置幅方向に延びている後側搬送路Ｐ１２には、その装置右隅の側の部分に、小切手Ｓ１の裏面に裏書き印刷を行う小切手印刷部４２が設けられている。小切手印刷部４２は装置上下方向に延びる状態に配置されたライン型のインクジェットヘッド４２ａを備え、当該インクジェットヘッド４２ａのノズル面が後側搬送路Ｐ１２の側を向く状態に配置されている。後側搬送路Ｐ１２を挟み、このノズル面に対峙する後側筐体部分７の部位には、インクジェットヘッド４２ａの印刷位置を規定するプラテン４２ｂが配置されている。インクジェットヘッド４２ａのインク供給源は、図２を参照して説明したように、インクカートリッジ装着部１８に装着したインクカートリッジ１９である。本例のようにライン型のヘッドを用いると、シリアル型のヘッドを用いる場合に比べて、当該小切手印刷部４２をコンパクトに形成できるので好ましい。
【００４３】
次に、小切手搬送路Ｐ１の下流側搬送路Ｐ１３には、搬送ローラー対３５、３６が配置されており、これらの間の搬送路部分には、小切手Ｓ１の両面の画像情報を読み取る光学式読取部４３が設けられている。光学式読取部４３は、小切手Ｓ１の裏面読取用の光学スキャナー４３ａと表面読取用の光学スキャナー４３ｂとを備えており、互いの読取面が下流側搬送路Ｐ１３を挟んで向かい合うように設けられている。
【００４４】
下流側搬送路Ｐ１３の下流端は、磁気情報の読取、裏書き印刷、および画像情報の読取が終了した処理済みの小切手Ｓ１を回収ポケット５に排出する小切手排出口５ａに繋がっている。回収ポケット５は上方に開口しており、当該回収ポケット５に回収された小切手Ｓ１を上方から取り出すことができる。入口ポケット４および回収ポケット５のいずれもが上方に開口しているので、操作者は常に小切手処理装置１の手前上方から小切手Ｓ１を扱うことができる。
【００４５】
（小切手処理装置の制御系および動作）
小切手処理装置１の動作はＭＰＵ等の制御部６１によって制御される。制御部６１は、図４に示すように、下側筐体部２の上面に配置した基板６０に搭載されている。単一の制御部６１により小切手処理装置１の小切手処理機構、レシート発行機構およびカードスキャン機構を制御することにより、例えばドライバーのアップデートなどのメンテナンス性が向上する。なお、制御部６１は、図４に示すように基板６０の上面に設けるほか、基板６０の裏面（小切手搬送路Ｐ１が形成される側とは反対側）に、制御基板として取り付けても良い。
【００４６】
小切手Ｓ１が装置前側から入口ポケット４に挿入されると、制御部６１は小切手処理機構の駆動モーター１０３を駆動制御して小切手Ｓ１を押し付け部材１０２によってピックアップローラー１０１の側に押し付け、この状態でピックアップローラー１０１により小切手Ｓ１を小切手送り出し口４ｄに送り出し、送り出しローラー１０４およびリタードローラー１０５によって確実に１枚ずつ小切手Ｓ１を小切手搬送路Ｐ１に送り出す。
【００４７】
制御部６１は、小切手Ｓ１が上流側搬送路Ｐ１１を搬送されてくると、まず磁気読取部４１を制御して小切手Ｓ１の磁気情報を読み取り、読み取られた磁気情報を取得する。次に制御部６１は、読み取った磁気情報に基づいて、小切手印刷部４２により小切手Ｓ１の裏面に裏書き印刷を実行する。また、制御部６１は光学式読取部４３を制御して小切手Ｓ１の両面の画像を読み取り、読み取られた画像情報を取得する。さらに、画像情報が読み取られた小切手Ｓ１は搬送ローラー対３６により回収ポケット５に排出される。
【００４８】
このように、小切手処理装置１の小切手処理機構によれば、磁気情報の読み取り、裏書き印刷、画像情報の読み取りといった一連の処理を一括して行うことができるので、ユーザーの負担を軽減することができる。
【００４９】
（小切手送り出し装置の構成）
図５は小切手送り出し装置１００の機構部分を示す説明図であり、（ａ）は小切手Ｓ１が挿入されて押し付け部材１０２が待機位置にある状態を示し、（ｂ）は押し付け部材１０２が旋回して小切手Ｓ１をピックアップローラー１０１に押し付けた状態を示す。小切手送り出し装置１００は、その装置フレーム１１０に各部品が組み付けられており、先に述べたように、広幅の入口ポケット４の第１側面４ａの側にはピックアップローラー１０１が配置され、反対側の第２側面４ｂの側には押し付け部材１０２が配置されている。また、入口ポケット４の小切手送り出し方向の端面４ｃにおける第１側面４ａの側の端に開いている狭い幅の小切手送り出し通路４ｇには、その第３側面４ｅの側に、送り出しローラー１０４が配置され、その第４側面４ｆの側にリタードローラー１０５が配置されている。
【００５０】
ピックアップローラー１０１は、入口ポケット４の第１側面４ａにおける小切手Ｓ１の送り出し方向１１１の中程の位置に、その外周面１０１ａの一部が露出した状態に配置されている。押し付け部材１０２は、第２側面４ｂの側において、送り出し方向１１１の後端部に、装置上下方向に垂直に延びる状態に配置した旋回中心軸１１２を中心として、図５（ａ）に示す待機位置１０２Ａから図５（ｂ）に示すようにピックアップローラー１０１の側に旋回可能である。本例の押し付け部材１０２は、旋回中心軸１１２によって後端が旋回可能に支持されている後側旋回板１１３と、この後側旋回板１１３の先端部に取り付けた支軸１１４を中心として後端が旋回可能な状態に支持されている前側旋回板１１５とを備えている。旋回中心軸１１２に取り付けた不図示の捩りコイルバネなどの付勢力によって、押し付け部材１０２は常にピックアップローラー１０１の側に付勢されている。また、前側旋回板１１５は、例えば支軸１１４に取り付けた不図示の捩りコイルバネ等の付勢部材の付勢力によって図５（ａ）に示すように後側旋回板１１３から直線状に延びる状態に保持されている。
【００５１】
駆動モーター１０３が、小切手Ｓ１を送り出す方向に向けて回転駆動すると、押し付け部材１０２がピックアップローラー１０１の側に旋回し、先端側の前側旋回板１１５の先端１１５ａが入口ポケット４に挿入されている小切手Ｓ１の束の送り出し方向１１１の先端側の部分に当たり、小切手Ｓ１を先端側から第１側面４ａの側に押し込む（寄せる）。押し付け部材１０２が更に旋回すると、前側旋回板１１５は支軸１１４を中心として後側旋回板１１３に対して第２側面４ｂの側に徐々に折れ曲がり、その平坦な側面１１５ｂによって小切手Ｓ１の前側部分を第１側面４ａの側に押し付けた状態が形成される。この結果、小切手Ｓ１の束が全体として第１側面４ａに押し付けられ、そこに外周面が露出しているピックアップローラー１０１に、小切手Ｓ１の束における第１側面４ａの側に位置する小切手Ｓ１が押し付けられる。この状態でピックアップローラー１０１が回転すると、小切手Ｓ１が狭い幅の小切手送り出し口４ｄに送り出される。
【００５２】
図６はピックアップローラー１０１および押し付け部材１０２の動力伝達機構を示す説明図であり、（ａ）は装置フレーム１１０の底板部分の裏面に配置されているローラー駆動用の歯車列および押し付け部材駆動用の歯車列を示し、（ｂ）はＡ−Ａ線で切断した場合の部分斜視図である。
【００５３】
図６を参照して説明すると、動力伝達機構１２０は駆動モーター１０３の駆動力をピックアップローラー１０１に伝達するローラー駆動用の歯車列１３０と、駆動モーター１０３の駆動力を押し付け部材１０２に伝達する押し付け部材駆動用の歯車列１４０とを備えている。ローラー駆動用の歯車列１３０は、装置フレーム１１０の底板部分１１６の裏面の側に突出している駆動モーター１０３のモーター軸１０３ａに固着した駆動スプロケット１３１を備えている。駆動スプロケット１３１は、底板部分１１６の裏面側に回転自在の状態で取り付けた中間伝達歯車１３２にかみ合っている。中間伝達歯車１３２は、同じく底板部分１１６の裏面側に配置されている最終段伝達歯車１３３にかみ合っている。最終段伝達歯車１３３は、装置フレーム１１０によって回転自在の状態で支持されているピックアップローラー１０１のローラー軸１３４における底板部分１１６から裏面側に突出している軸端部１３４ａに回転可能な状態で同軸に取り付けられている。最終段伝達歯車１３３とローラー軸１３４の間には、それらの回転中心軸線回りに予め定めた遊びのある状態でこれらを相互に連結している遅延機構１５０が組み込まれている。遅延機構１５０については後述する（図７参照）。
【００５４】
ここで、ピックアップローラー１０１は、ワンウエイクラッチ１３５を介して、ローラー軸１３４に連結されている。ワンウエイクラッチ１３５は、ローラー軸１３４が予め定めた正回転方向１３６（ピックアップローラー１０１により小切手Ｓ１が送り出される回転方向）に回転する場合には当該ローラー軸１３４の回転力をピックアップローラー１０１に伝達する。換言すると、ローラー軸１３４とピックアップローラー１０１が一体回転する。逆に、ローラー軸１３４が正回転方向とは逆の逆回転方向１３７に回転する場合にはローラー軸１３４の回転力を実質的にピックアップローラー１０１に伝達しない。換言すると、ピックアップローラー１０１に対してローラー軸１３４が空回りし、ローラー軸１３４が回転していない状態では、ピックアップローラー１０１はローラー軸１３４に対して正回転方向に空回り可能である。
【００５５】
次に、押し付け部材駆動用の歯車列１４０は、中間伝達歯車１３２に対して、ワンウエイクラッチ１４１を介して同軸状態に連結されている小径伝達歯車１４２を備えている。小径伝達歯車１４２には、所定の角度を張る扇形の伝達歯車１４３がかみ合っている。扇形の伝達歯車１４３は、装置フレーム１１０の底板部分１１６の裏面側に回転自在の状態に取り付けられている。扇形の伝達歯車１４３の歯車軸１４３ａには、その半径方向に延びる旋回板１４４が固定されており、当該旋回板は１４４は扇形の伝達歯車１４３と一体となって歯車軸１４３ａを中心として一定の角度範囲内で揺動する。旋回板１４４の先端部は、装置フレーム１１０の底板部分１１６から裏面側に突出している押し付け部材１０２の支軸１１４の下側の軸端部１１４ａに対して、支軸１１４の中心軸線に直交する方向から係合している。これらの旋回板１４４と支軸１１４の軸端部１１４ａの係合状態は、例えば、押し付け部材１０２の旋回中心軸１１２に取り付けた不図示の捩りコイルばねのバネ力によって保持されている。また、底板部分１１６には、軸端部１１４ａの移動範囲を包含する角度を張る一定幅の円弧溝１１６ａが形成されており、旋回板１４４によって旋回する支軸１１４は円弧溝１１６ａに沿ってスライドする。
【００５６】
なお、ローラー駆動用の歯車列１３０の最終段伝達歯車１３３は、装置フレーム１１０の底板部分１１６の裏面側に回転自在の状態で取り付けられている大径伝達歯車１３８にかみ合っている。大径伝達歯車１３８は送り出しローラー１０４のローラー軸１０４ａの軸端部に固着した伝達歯車１３９にかみ合っている。よって、駆動モーター１０３の駆動力が送り出しローラー１０４に伝達される。
【００５７】
次に、図７は遅延機構１５０を示す図であり、（ａ）はその斜視図であり、（ｂ）はその縦断面図である。図６および図７を参照して説明すると、遅延機構１５０は、ローラー軸１３４（従動側回転部材）において装置フレーム１１０の底板部分１１６から裏面側に突出している軸端部１３４ａに、その直径方向に延びる状態に固定した所定長さの係合ピン１５１を備えている。係合ピン１５１は軸端部１３４ａの中心を貫通して延びており、軸端部１３４ａから直径方向の両側に同一長さだけ突出している。
【００５８】
また、遅延機構１５０は、最終段伝達歯車１３３（駆動側回転部材）の上側を向く端面１３３ａ（係合ピン１５１に対峙する側の端面）に固定した一定の角度を張る一対の扇形突起１５２、１５３を備えている。扇形突起１５２には歯車の端面１３３ａから垂直に起立している第１係合面１５２ａが形成されており、他方の扇形突起１５３における第１係合面１５２ａの側にも歯車の端面１３３ａから垂直に起立している第２係合面１５３ａが形成されている。これらの第１、第２係合面１５２ａ、１５３ａの回転中心軸線１３４ｂ回りの角度が遊び角度に設定されている。
【００５９】
図７（ａ）から分かるように、第２係合面１５３ａに係合ピン１５１が係合した状態から最終段伝達歯車１３３が遊び角度だけ正回転方向１３６に回転すると、第１係合面１５２ａが係合ピン１５１に係合して当該係合ピン１５１を同一の正回転方向１３６に一体回転させる。逆に、第１係合面１５２ａに係合ピン１５１が係合した状態から最終段伝達歯車１３３が遊び角度だけ正回転方向１３６とは逆の逆回転方向１３７に回転すると、第２係合面１５３ａが係合ピン１５１に係合した状態になり、当該係合ピン１５１を同一の逆回転方向１３７に一体回転させる。したがって、逆回転方向１３７への回転終了後には、第１係合面１５２ａと係合ピン１５１の間が常に一定の遊び角度が形成された状態になる。
【００６０】
ここで、本例の遅延機構１５０には、最終段伝達歯車１３３の第１係合面１５２ａが係合ピン１５１に係合する前に、係合ピン１５１（ピックアップローラー１０１の側）が駆動側の最終段伝達歯車１３３と連れ回りしてしまうことを防止するための機構が付設されている。図７（ｂ）を参照して説明すると、ピックアップローラー１０１のローラー軸１３４は、装置フレーム１１０の上板部分１１７および底板部分１１６に取り付けた軸受用スリーブ１５４、１５５を介して回転自在の状態で支持されている。また、ピックアップローラー１０１の下側端面の側にはローラー軸１３４に固定した止め輪１５６の下面にバネ受け１５７が取り付けられており、当該バネ受け１５７と装置フレーム１１０の底板部分１１６の上面の間には、ローラー軸１３４を同心状に取り囲む状態で圧縮コイルバネ１５８が装着されている。
【００６１】
ローラー軸１３４における底板部分１１６から裏面側に突出している軸端部１３４ａには、係合ピン１５１よりも上側の部位に円盤状のフランジ１５９が圧入されている。ローラー軸１３４は圧縮コイルバネ１５８によって底板部分１１６に対して上方に付勢されており、この付勢力によって、ローラー軸１３４に圧入固定したフランジ１５９の上側の端面１５９ａが底板部分１１６の裏面１１６ｂに押し付けられた状態が形成されている。フランジ１５９の端面１５９ａと底板部分１１６の裏面１１６ａの間の摩擦抵抗によって、ローラー軸１３４には、その回転を拘束する所定の大きさの回転拘束力が作用している。
【００６２】
この回転拘束力の大きさは、最終段伝達歯車１３３が正回転方向１３６に回転を開始して第１係合面１５２ａが係合ピン１５１に係合するまでの間、係合ピン１５１（ローラー軸１３４）が最終段伝達歯車１３３と連れ回りしてしまうことを阻止できるように設定されている。すなわち、遊び角度だけ回転するまでの間（押し付け部材１０２が移動を開始してから所定の遅延時間が経過するまでの間）に、ピックアップローラー１０１の回転が開始することのないようにしてある。この圧縮コイルバネ１５８（回転拘束部材）を配置することによって、ピックアップローラー１０１の回転開始時点を常に適切な時点にすることができる。
【００６３】
（小切手送り出し装置の動作）
このように構成した小切手送り出し装置１００における各部の動作を以下に纏めて説明する。まず、駆動モーター１０３が小切手Ｓ１を送り出す方向に回転を開始すると、これに同期して押し付け部材１０２が待機位置１０２Ａから移動を開始して小切手Ｓ１の押し付け動作を始める。これに対して、ピックアップローラー１０１の側は、遅延機構１５０によって回転開始時点が遅延する。すなわち、遅延機構１５０によって最終段伝達歯車１３３が予め定めた遊び角度だけ正回転方向１３６に回転した後に、最終段伝達歯車１３３がローラー軸１３４に連結され、この時点からローラー軸１３４が最終段伝達歯車１３３と一体となって正回転方向１３６に回転する。
【００６４】
この結果、押し付け部材１０２の移動開始時点から所定の遅延時間の後に、ピックアップローラー１０１がワンウエイクラッチ１３５を介してローラー軸１３４と一体となって正回転方向１３６に回転を開始し、小切手Ｓ１の送り出し動作が始まる。この時点では、押し付け部材１０２によって小切手Ｓ１は小切手送り出し口４ｄの側に寄せられている。よって、ピックアップローラー１０１によって送り出された小切手Ｓ１の送り出し方向の先が入口ポケット４の端面４ｃに突き当たり、小切手Ｓ１を小切手送り出し口４ｄから送り出すことができないという弊害を回避できる。なお、押し付け部材１０２が移動して小切手Ｓ１をピックアップローラー１０１の側に寄せた状態が形成されると、ワンウエイクラッチ１４１によって小径伝達歯車１４２が空転状態になるので、押し付け部材駆動用の歯車列１４０あるいは押し付け部材１０２に過剰な力が作用することがなく、押し付け部材１０２は一定の付勢力で小切手Ｓ１を押し付けた状態になる。
【００６５】
ピックアップローラー１０１によって小切手送り出し口４ｄから送り出された小切手Ｓ１は、駆動モーター１０３と同期して回転を開始する送り出しローラー１０４とリタードローラー１０５の間を通って小切手搬送路に送り出され、その上流端に配置されている搬送ローラー対３２に引き渡される。この時点では搬送ローラー対３２は定速回転状態となっており、送り出された小切手Ｓ１が搬送ローラー対３２によって下流側に送り出される。
【００６６】
駆動モーター１０３は小切手Ｓ１を搬送ローラー対３２に引き渡すと駆動を停止し、ピックアップローラー１０１の回転も止まる。この時点では、送り出される小切手Ｓ１の後側部分は押し付け部材１０２によってピックアップローラー１０１の側に押し付けられた状態にある。しかしながら、ピックアップローラー１０１はワンウエイクラッチ１３５を介してローラー軸１３４の側に連結されているので、搬送ローラー対３２によって引き出される小切手Ｓ１に連れ回りする。よって、大きな搬送負荷が搬送ローラー対３２に作用して小切手搬送に支障を来すことがない。
【００６７】
連続して小切手Ｓ１を搬送する場合には、１枚の小切手Ｓ１の搬送が終了する毎に、所定のタイミングで駆動モーター１０３が駆動を開始して次の小切手Ｓ１の送り出し動作が行われる。このとき、押し付け部材１０２によって小切手Ｓ１がピックアップローラー１０１に押し付けられた状態のままであり、また、遅延機構１５０の第１係合面１５２ａに係合ピン１５１が係合した状態のままである。したがって、駆動モーター１０３の回転を開始すると、これに同期してピックアップローラー１０１が回転を開始して小切手Ｓ１の送り出し動作が行われる。したがって、本例の遅延機構１５０によれば、ピックアップローラー１０１を不必要に遅延させて回転開始時点を遅らせることがない。よって、連続した小切手の送り出し動作にロスタイムが無く、送り出し動作を効率良く行うことができる。
【００６８】
次に、小切手Ｓ１の送り出しが終了した後は、駆動モーター１０３を、小切手Ｓ１を送り出す場合の回転方向とは逆方向に回転駆動させる。この場合には、駆動モーター１０３の回転開始と共に押し付け部材１０２が付勢力に逆らって待機位置１０２Ａに向けて退避を開始する。これに対して、ローラー駆動用の歯車列１３０の側では、最終段伝達歯車１３３が逆回転方向１３７に回転するので、遅延機構１５０における第１係合面１５２ａが係合ピン１５１から離れる方向に回転を開始する。この結果、第１係合面１５２ａが係合ピン１５１から離れる方向に回転し、第２係合面１５３ａに係合ピン１５１が係合し、この後は、最終段伝達歯車１３３とローラー軸１３４が逆回転方向１３７に一体となって回転する。押し付け部材１０２が待機位置１０２Ａに戻った時点で駆動モーター１０３が停止する。例えば、不図示のセンサーによって押し付け部材１０２が待機位置１０２Ａに戻ったことが検出されると駆動モーター１０３が停止する。この時点では、第２係合面１５３ａに係合ピン１５１が係合しているので、第１係合面１５２ａが係合ピン１５１に対して遊び角度だけ離れた回転位置に戻った状態が保持される。この結果、次回の小切手送り出し動作の開始時における遊びが確保される（遅延時間が確保される）。
【符号の説明】
【００６９】
Ｓ１  小切手、Ｐ１  小切手搬送路、Ｐ１１  上流側搬送路、Ｐ１２  後側搬送路、Ｐ１３  下流側搬送路、Ｐ１３ａ  下流端開口、Ｃ  カード、Ｘ  装置幅方向、Ｙ  装置前後方向、Ｚ  装置上下方向、
１  小切手処理装置、１ａ  装置筐体、２  下側筐体部、３  上側筐体部、４  入口ポケット、４ａ  第１側面、４ｂ  第２側面、４ｃ  端面、４ｄ  小切手送り出し口、４ｅ  第３側面、４ｆ  第４側面、４ｇ  小切手送り出し通路、５  回収ポケット、５ａ  小切手排出口、６  右側筐体部分、７  後側筐体部分、８  左側筐体部分、９  内側筐体部分、１１  前側カバー、１２  後側カバー、１３  レシート発行口、１４  操作面、１４ａ  操作スイッチ、１４ｂ  ＬＥＤ表示部、１５  カード挿入路、１６  ロール紙収納部、１７  オートカッター、１７ｃ  駆動ユニット、１８  インクカートリッジ装着部、１９  インクカートリッジ、２０  装置上面部分、２１  カードスロット、３２，３３，３４，３５，３６  搬送ローラー対、３２ａ，３３ａ，３４ａ，３５ａ，３６ａ  駆動ローラー、３２ｂ，３３ｂ，３４ｂ，３５ｂ，３６ｂ  従動ローラー、３７  無端ベルト、４０  駆動モーター、４１  磁気読取部、４１ａ  磁気スキャナー、４１ｂ  押し付けローラー、４２  小切手印刷部、４２ａ  インクジェットヘッド、４２ｂ  プラテン、４３  光学式読取部、４３ａ，４３ｂ  光学スキャナー、６０  基板、６１  制御部
１００  小切手送り出し装置、１０１  ピックアップローラー、１０１ａ  外周面、１０２  押し付け部材、１０２Ａ  待機位置、１０３  駆動モーター、１０３ａ  モーター軸、１０４  送り出しローラー、１０４ａ  ローラー軸、１０５  リタードローラー、１１０  装置フレーム、１１１  送り出し方向、１１２  旋回中心軸、１１３  後側旋回板、１１４  支軸、１１４ａ  軸端部、１１５  前側旋回板、１１５ａ  先端、１１５ｂ  側面、１１６  底板部分、１１６ａ  円弧溝、１１６ｂ  裏面、１１７  上板部分、
１２０  動力伝達機構、
１３０  ローラー駆動用の歯車列、１３１  駆動スプロケット、１３２  中間伝達歯車、１３３  最終段伝達歯車、１３３ａ  端面、１３４  ローラー軸、１３４ａ  軸端部、１３４ｂ  回転中心軸線、１３５  ワンウエイクラッチ、１３６  正回転方向、１３７  逆回転方向、１３８  大径伝達歯車、１３９  伝達歯車、
１４０  押し付け部材駆動用の歯車列、１４１  ワンウエイクラッチ、１４２  小径伝達歯車、１４３  扇形の伝達歯車、１４３ａ  歯車軸、１４４  旋回板、
１５０  遅延機構、１５１  係合ピン、１５２  扇形突起、１５２ａ  第１係合面、１５３  扇形突起、１５３ａ  第２係合面、１５４  軸受用スリーブ、１５５  軸受用スリーブ、１５６  止め輪、１５７  バネ受け、１５８  圧縮コイルバネ、１５９  フランジ、１５９ａ  端面
【図１】
2013082519.tif 000003
【図２】
2013082519.tif 000004
【図３】
2013082519.tif 000005
【図４】
2013082519.tif 000006
【図５】
2013082519.tif 000007
【図６】
2013082519.tif 000008
【図７】
2013082519.tif 000009